(57)【要約】      （修正有）【課題】食品の保存に重要なガスバリア性を有しながら剛性が高く環境にもやさしい実用特性にすぐれた、温度調整の必要が無く商品排出等の稼動に関して電力を利用しない自動販売機用の食品包装体を提供する。【解決手段】ポリオレフィン系樹脂をヒートシール層とし、ガスバリア層を積層させ多層化させた２つの半球形状の外装体を合わせ、その周縁鍔部をヒートシールもしくは開口端の嵌合部に設けた係合突起により閉口する。【選択図】図１
2008081203.tif 000002
【特許請求の範囲】
【請求項１】
２つの半球形状の外装体を合わせることにより中空を生じる球形状の包装体を構成する材料の少なくとも１層に、アルミニウム等の金属、蒸着金属酸化物、無機酸化物、ポリビニルアルコール系重合体及びエチレン−ビニルアルコール系共重合体などのガスバリア層を設け多層化された食品包装体。
【請求項２】
食品包装体の最内層がポリオレフィン系樹脂にて構成された請求項１記載の食品包装体。
【請求項３】
２つの半球形状の外装体をヒートシールもしくは嵌合により閉口した請求項１記載の食品包装体。
【発明の詳細な説明】
【技術分野】
【０００１】  本発明は、ガスバリア性に優れ、ポテトやコ−ン等を使用したスナック食品、せんべい、おかき等の米菓類、緑茶、コ−ヒ−、紅茶等の嗜好品、小麦粉、米、麦、大豆等の穀物類、ビタミン、ミネラル、アミノ酸、脂質、炭水化物、植物抽出物、動物抽出物等からなる健康食品、栄養補助食品、栄養機能食品等の加工食品などの保存に優れ、かつ、温度調整の必要が無く、商品排出等の稼動に関して電力を利用しない自動販売機の適正にも優れた食品用包装体に関するものである。
【背景技術】
【０００２】  温度調整の必要が無く、商品排出等の稼動に関して電力を利用しない自動販売機の包装体としては開口端の嵌合部に係合突起が形成された２つの半球を合わせる事により中空を有する径１０〜１２０ｍｍの球状体（カプセル）が用いられるが、その材質としては塩化ビニル、ポリエチレンテレフタレート、ポリプロピレン、ポリスチレン等の単一素材からなり、ブロー成型、射出成型、真空成型、圧空成型などにより成型される。また、落下等の衝撃による開口などを防止しながら、使用時には簡易に開口せしめることができるという目的により、１つの半球に塩化ビニル、相対する１つの半球にポリエチレンテレフタレートを使用するなどして排出適正と開口性を鑑みた設計がなされている。
さらに着色を施すなどして光による内容品の劣化を防止する工夫がなされたものはある。しかし、食品の保存に重要なガスバリア性に関しては付与されていない。【０００３】  ガスバリア性の優れた食品包装としては、各種プラスチックフィルムをラミネ−トしたものが用いられている。例えばＰＥ（ポリエチレン）フィルムとＰＥＴ（ポリエステル）フィルムやＮｙ（ナイロン）フィルムとアルミニウム箔をラミネートしたもの。また、ＰＥＴフィルム上にアルミ蒸着したもの、あるいは、塩化ビニリデンやエチレンビニルアルコール共重合体を用いたものをＰＥフィルムとラミネ−トしたもの、酸化硅素などの薄膜をガスバリアフィルムとして使ったものなどがある。【０００４】  包装体としては、それらの素材を積層させたフィルムを熱溶着（ヒートシール）することにより袋状として提供する場合や射出成形、ブロー成形、真空成形、圧空成形などの成形方法から内層、バリア層などの少なくとも２つの異なる素材からなる多層化された包装容器として提供される場合があり、内容品の種類や使用される環境によってその選択される成形方法は異なる。
【特許文献１】  特開２０００−３２７０５６号公報
【特許文献２】  特開２００４−１８３９１１号公報
【特許文献３】  特開２０００−３１８７２２号公報
【発明の開示】
【発明が解決しようとする課題】
【０００５】  かかる従来の温度調整の必要が無く、商品排出等の稼動に関して電力を利用しない自動販売機用の包装体は、次のような課題を有していた。食品等を自動販売機にて販売する場合、ガスバリアフィルムを積層したもので構成された包装体に食品等を入れ、ヒートシール等によって閉口密封した包装体を、開口端の嵌合部に係合突起が形成された２つの半球を合わせる事により有した径１０〜１２０ｍの球状体（カプセル）の中空部に入れ、それを販売されるまで自動販売機内の貯蔵庫内に積載され保管される。この食品等の入った密封された包装体が入った球形状の包装体を購入する場合には、コインを投入することにより固定されたターレットが回転し、１カプセルが選択的に排出される。このような構成からなる温度調整の必要が無く、商品排出等の稼動に関して電力を利用しない自動販売機用の包装体には、積載および保管時の耐加重性、ターレット回転時に掛かる横方向の耐応力性、排出時の耐落下衝撃性、さらに購入者が簡単に開口することが可能な易開口性を付与した包装体でなければならない。【０００６】  しかし、現状では温度調整の必要が無く、商品排出等の稼動に関して電力を利用しない自動販売機の力学的な機械適性のための包装体と食品等の保存適正のための包装体の２つを別々に用意する必要があった。
【課題を解決するための手段】
【０００７】  本発明は、上記課題を解決するために、ガスバリア性に優れ、また耐荷重性の高い、しかも環境面においても有益な、温度調整の必要が無く商品排出等の稼動に関して電力を利用しない自動販売機用の包装体に関し、ガスバリア層を構成の一部または全部とする中空構造を持った球形状の食品包装体を提供せんとするものである。【０００８】  本発明でいうプラスチックとは、有機高分子を溶融押出しをしたものであり、必要に応じ、流れ方向、幅方向に延伸、冷却、熱固定を施したフィルムで構成されたものであったり、射出成形、ブロー成形、真空成形、圧空成形などの成形方法から内層、バリア層などの少なくとも２種２層以上の構成からなる有機高分子を溶融押出し多層化されたものをいう。【０００９】  有機高分子としては、ポリエチレン、ポリプロピレン、ポリエチレンテレフタート、ナイロン６、ナイロン６６、ナイロン１２、ポリ塩化ビニール、ポリ塩化ビニリデン、ポリビニールアルコール、全芳香族ポリアミド、ポリアミドイミド、ポリイミド、ポリエーテルイミド、ポリスルフォン、ポリフェニレンスルフィド、ポリフェニレンオキサイドなどがあげられる。また、これらの有機高分子は他の有機重合体を少量共重合したり、ブレンドしたりしてもよい。【００１０】  さらにこの有機高分子には、公知の添加剤、例えば、紫外線吸収剤、帯電防止、可塑剤、滑剤、着色剤などが添加されていてもよい。また、アンカーコート処理、印刷、装飾が施されていてもよい。中空構造を有する球状形の厚さとして１０〜２０００μｍの範囲が好ましく、さらに好ましくは５０〜１５００μｍの範囲である。【００１１】  本発明における食品用包装体は、包装する内容物の要求特性に応じ各種フィルムや樹脂、紙を用いラミネ−トしてもよい。また、最内層のヒートシール層には易開口性のある素材を使用しても良く、更に、装飾または、内容物の説明のための印刷を施したり、意匠用フィルムあるいは補強剤等と張り合わせてもよい。本発明における食品用包装体は、ポテトやコ−ン等を使用したスナック食品、せんべい、おかき等の米菓類、緑茶、コ−ヒ−、紅茶等の嗜好品、小麦粉、米、麦、大豆等の穀物類、ビタミン、ミネラル、アミノ酸、脂質、炭水化物、植物抽出物、動物抽出物等からなる健康食品、栄養補助食品、栄養機能食品等の加工食品に関するものであるが、また、これらに制限されるものではない。
【発明の効果】
【００１２】  上述したように本発明の包装体は、ポリオレフィン系樹脂をヒートシール層とし、アルミニウム等の金属を積層または金属酸化物を蒸着し得られたガスバリアフィルムや無機酸化物、ポリビニルアルコール系重合体及びエチレン−ビニルアルコール系共重合体からなるガスバリア層を積層させ多層化させた２つの半球形状の外装体に加工食品を挿入、窒素ガス等の不活ガスを充填後、その合わさった周縁鍔部をヒートシールもしくは開口端の嵌合部に設けた係合突起により閉口せしめることにより食品の保存に重要なガスバリア性を有しながら剛性が高く環境にもやさしい実用特性にすぐれた温度調整の必要が無く商品排出等の稼動に関して電力を利用しない自動販売機用の食品包装体であることがわかる。
【発明を実施するための最良の形態】
【００１３】以下、本発明の実施の形態を図１〜図３に基づいて説明する。【００１４】図においては、１はガスバリア層を構成の一部とする中空部６を持った半球形状の食品包装体で、半球体カップ部２、半球体カップ部周縁に沿って鍔部３を有している。【００１５】２つの半球形状食品包装体１の開口部５より食品等の内容物を入れた後、互いの鍔部３を合わせヒートシール部４を形成し、ヒートシールにより閉口することにより、球形状の包装体とする。【００１６】Ｙ１は、２つの半球形状食品包装体１の鍔部３を互いに合わせヒートシール部４を形成し、ヒートシールにより閉口する場合の拡大部である。食品等に直接接触する安全性に考慮したポリオレフィン系樹脂のヒートシール層７と食品等の劣化を防止するアルミニウムやエチレンビニルアルコール共重合体等のバリア層８、自動販売機に適応した耐加重性能を有する強度を持つ材質で構成された補強層９を溶融押出しや接着剤等によりラミネートするなどの方法により多層化している。【００１７】Ｙ２は、半球形状食品包装体の１つの開口部端部に勘合凸部１０、相対する半球形状食品包装体の１つの開口部端部に勘合凹部１１の係合突起により閉口するヒートシール層７、バリア層８、補強層９からなる多層化された構成を有する球形状食品包装体の拡大部である。
【図面の簡単な説明】
【００１８】
【図１】本発明にかかる食品包装の一例を示すもので、（Ａ）は半球体の平面図、（Ｂ）は側面図である。（Ｃ）は半球体の断面図、（Ｄ）は２つの半球体を合わせヒートシールにて閉口した状態を示す半断面図である。
【図２】食品包装体をヒートシールにより閉口する場合を説明した図であり、（Ｅ）は２つの半球体の鍔部を合わせ、ヒートシールによって食品包装体を構成する断面図である。（Ｆ）は形成する積層体の層構成を示すＹ１部拡大断面図である。
【図３】食品包装体を勘合によって閉口する場合を説明した図であり、（Ｇ）半球体の端部側面に凸部を設けた半球体と凹部を設けた半球体を対に組合わせた断面図である。（Ｈ）は形成する積層体の層構成を示すＹ２部勘合部の拡大断面図である。
【符号の説明】
【００１９】  １  半球体
２  半球体カップ部
３  鍔部
４  ヒートシール部
５  開口部
６  中空部
７  ヒートシール層
８  バリア層
９  補強層
１０  勘合凸部
１１  勘合凹部
【図１】
2008081203.tif 000003
【図２】
2008081203.tif 000004
【図３】
2008081203.tif 000005